(57)【特許請求の範囲】
【請求項１】
冷凍サイクルに含まれる室内熱交換器によって熱交換した空気を室内に吹き出して室温コントロールを行うとともに、室内機に搭載されている空気清浄用の電気集塵部を制御して、上記室内機内部を殺菌、脱臭処理するクリーン運転が可能な空気調和機の制御方法であって、
クリーン運転信号を受信したときには、前回のクリーン運転から今回のクリーン運転信号受信直前までの運転時間（積算運転時間）を算出し、その算出積算運転時間に比例して上記電気集塵部の通電時間（オゾン発生時間）を決定して、その決定した通電時間をもって上記クリーン運転を行うようにしたことを特徴とする空気調和機の制御方法。
【請求項２】
冷凍サイクルに含まれる室内熱交換器によって熱交換した空気を室内に吹き出して室温コントロールを行うとともに、室内機に搭載されている空気清浄用の電気集塵部を制御して、上記室内機内部を殺菌、脱臭処理するクリーン運転が可能な空気調和機の制御方法であって、
上記室内機の所定箇所に配置される臭いセンサを備え、クリーン運転信号を受信したときには、前回のクリーン運転から今回のクリーン運転信号受信直前までの運転の間に上記臭いセンサにて検出した臭いレベルごとの積算時間を算出し、上記臭いレベルおよび積算時間に比例して上記電気集塵部の通電時間（オゾン発生時間）を決定し、その決定した通電時間をもって上記クリーン運転を行うようにしたことを特徴とする空気調和機の制御方法。
【請求項３】
上記クリーン運転信号受信直前の運転が暖房もしくは送風以外の運転である場合には、上記殺菌、脱臭処理を行う前に、乾燥運転を行い、その際、その乾燥運転の時間を室内湿度が高いほど長くするようにした請求項１または２に記載の空気調和機の制御方法。
【請求項４】
上記クリーン運転信号を受信したときには、少なくとも圧縮機を停止した暖房運転を行い、そのクリーン運転信号受信直前の運転が暖房もしくは送風運転である場合には、上記殺菌、脱臭処理を行い、そのクリーン運転信号受信直前の運転が暖房もしくは送風以外の運転である場合には、室内湿度に比例した運転時間をもって乾燥運転を行い、しかる後に上記殺菌、脱臭処理を行うようにした請求項１または２に記載の空気調和機の制御方法。
【発明の詳細な説明】
【０００１】
【発明の属する技術分野】
本発明は、空気調和機の制御方法に係り、さらに詳しく言えば、室内機内部の殺菌、脱臭を効果的に行う空気調和機の制御方法に関するものである。
【０００２】
【従来の技術】
最近の空気調和機においては、種々の機能を付加して快適性を追求するものが提案されている。例えば、電気集塵器を室内機に搭載して、タバコの煙などの細かなほこりを高電圧で帯電して集塵し、空気の汚れを集め、室内環境の向上を図るようにした空気調和機が提案されている。
【０００３】
ところで、冷房運転やドライ運転（例えば弱冷房運転）中には室内熱交換器に凝縮水が付着し、その凝縮水はドレンパンを介して室外に排出される。しかしながら、冷房運転やドライ運転の停止後には、凝縮水が室内熱交換器、ドレンパンに残ることが多々あり、ホコリなどがその残留凝縮水に付着すると、カビなどを発生し、室内機内部に雑菌の発生要因となり、運転再開時に不快な臭いを発生することになる。
【０００４】
また、電気集塵器を利用してオゾンを発生させて、室内機内部を殺菌する際には、その残留凝縮水の影響により殺菌効果が低下することから、室内機の内部を乾燥する運転を行った後、オゾンによる殺菌運転を行うようにしている。
【０００５】
【発明が解決しようとする課題】
しかしながら、従来においては多くの場合、乾燥運転と殺菌運転とを組み合わせたクリーン運転の時間が常に一定とされているため、それまでの運転状況（使用状況）によっては、クリーン運転が最適なものと言えず、室内機内部の殺菌が適切に行われないという欠点があった。
【０００６】
本発明は、上記課題を解決するためになされたものであり、その目的は、それまでの運転状況にかかわらず、室内機内部の殺菌、脱臭が効果的、効率的に行え、室内環境の向上、快適性の向上を図ることができるようにした空気調和機の制御方法を提供することにある。
【０００７】
【課題を解決するための手段】
上記目的を達成するために、第１の発明は、冷凍サイクルに含まれる室内熱交換器によって熱交換した空気を室内に吹き出して室温コントロールを行うとともに、室内機に搭載されている空気清浄用の電気集塵部を制御して、上記室内機内部を殺菌、脱臭処理するクリーン運転が可能な空気調和機の制御方法であって、クリーン運転信号を受信したときには、前回のクリーン運転から今回のクリーン運転信号受信直前までの運転時間（積算運転時間）を算出し、その算出積算運転時間に比例して上記電気集塵部の通電時間（オゾン発生時間）を決定して、その決定した通電時間をもって上記クリーン運転を行うようにしたことを特徴としている。
【０００８】
また、第２の発明は、上記室内機の所定箇所に配置される臭いセンサを備え、クリーン運転信号を受信したときには、前回のクリーン運転から今回のクリーン運転信号受信直前までの運転の間に上記臭いセンサにて検出した臭いレベルごとの積算時間を算出し、上記臭いレベルおよび積算時間に比例して上記電気集塵部の通電時間（オゾン発生時間）を決定し、その決定した通電時間をもって上記クリーン運転を行うようにしたことを特徴としている。
【０００９】
いずれの場合においても、上記クリーン運転信号受信直前の運転が暖房もしくは送風以外の運転である場合には、上記殺菌、脱臭処理を行う前に、乾燥運転を行い、その際、その乾燥運転の時間を室内湿度が高いほど長くすることが好ましい。
【００１０】
これとは別に、上記クリーン運転信号を受信したときには、少なくとも圧縮機を停止した暖房運転を行い、そのクリーン運転信号受信直前の運転が暖房もしくは送風運転である場合には、上記殺菌、脱臭処理を行い、そのクリーン運転信号受信直前の運転が暖房もしくは送風以外の運転である場合には、室内湿度に比例した運転時間をもって乾燥運転を行い、しかる後に上記殺菌、脱臭処理を行うようようにすることもできる
。これにより、室内湿度の状況に応じた乾燥運転が行われ、つまり効果的、効率的な殺菌、脱臭が行われる。
【００１１】
【発明の実施の形態】
まず、図３を参照して、本発明を実施するため、空気調和機は室内機側の制御回路（マイクロコンピュータなど）１および室外機側の制御回路（マイクロコンピュータなど）２を備え、少なくも積算運転時間（例えば前回クリーン運転終了後の通常運転時間）に応じてオゾンの発生時間を変え、つまりそれまでの使用状況に応じて殺菌時間を変えて、クリーン運転による殺菌、脱臭を適切に行う。
【００１２】
図２に示すように、室内機は、空気を吸い込むため自動的に開閉する開閉パネル（前面パネルおよび上面パネル）３ａ，３ｂと、下方向に開いて吹き出された空気の吸い込む吸入口として機能するために自動的に開閉するショートサーキットパネル３ｃと、室内機本体に固定的に形成された桟形状の空気吸入口３ｄと、空気吹き出し方向を変えるための上下風向板４と、冷凍サイクルに含まれる室内熱交換器５ａ，５ｂ，５ｃと、室内ファン６と、空気清浄化を図るために空気吸入口３ｄの後方に配置された電気集塵部（電気集塵式空気清浄ユニット）７と、室内湿度を検出する湿度センサ８と、クリーン運転の設定操作可能なリモコン９からのリモコン信号の設定操作などによる表示を行うための本体表示部１０と、室内熱交換器５ａ，５ｂ，５ｃに付着した凝縮水を室外に排出するためのドレンパン１１と備えている。室外機は、冷凍サイクルを構成する四方弁１２および圧縮機１３と、室外ファン１３とを備えている。
【００１３】
室内機側の制御回路１は、リモコン９の設定操作に応じて開閉パネル３ａ，３ｂ、ショートサーキットパネル３ｃ、上下風向板部４および室内ファン６を制御する一方、室温と設定温度の差に応じた圧縮機の運転コードなどを室外機側の制御回路２に送信するとともに、その制御回路２との間で室温コントロールに必要な信号の授受を行い、また、リモコン９の設定操作などに応じて電気集塵部７を制御する。
【００１４】
そのために、室内機側の制御回路１は、リモコン信号を判定する判定部１ａおよび当該空気調和機の運転状態を判定する状態判定部１ｃと、図１、図４および図５に示すルーチンの実行時に用いるタイマ部１ｂ、記憶部１ｄおよびカウンタ部１ｅと、積算運転時間を算出する積算運転時間部１ｆとの機能を備えている。
【００１５】
また、室外機側の制御回路２は、四方弁１２および室外ファン１４を制御するために室内機側からの運転モードなどを判別する運転モード判定部２ａと、圧縮機１３を制御する圧縮機制御部２ｂとの機能を備えている。
【００１６】
次に、本発明の動作を図１、図４および図５のフローチャート図を参照して説明する。まず、リモコン９によって所定の設定操作が行われると、その設定操作に応じて室内機側の制御回路１および室外機側の制御回路２によって当該室温コントロールに必要な制御が行われる。
【００１７】
この場合、室内機側の制御回路１は、その設定操作の運転モードなどにしたがって開閉パネル３ａ，３ｂ、ショートサーキットパネル３ｃおよび上下風向板４を自動的に開閉制御するとともに、室内ファン６を回転制御し、また、電気集塵部７を制御する。
【００１８】
上記リモコン９によってクリーン運転信号の発信操作が行われ、そのクリーン運転信号を受信すると、室内機側の制御回路１は図１、図４および図５に示すルーチンを実行する。
【００１９】
このルーチンでは、実際の殺菌・脱臭運転に先立ち、運転モードを暖房運転に、圧縮機１３の回転数（運転周波数）を０コード（０ｒｐｓ）に、室内ファン６のファン回転数を９００ｒｐｍに、開閉パネル３ａ，３ｂを全開に、ショートサーキットパネル３ｃを閉に、上下風向板４を水平方向に、本体表示部１０の表示にクリーン表示を決定し（ステップＳＴ１）、これら決定による制御を行う。
【００２０】
続いて、積算運転時間Ｔａを積算運転時間部１ｆで算出するが（ステップＳＴ２）、この積算運転時間Ｔａは前のクリーン運転終了後から当該クリーン運転信号の受信までの時間もしくは通常運転時間をタイマ部１ｂで計測して得る。なお、その積算運転時間Ｔａとしては、例えば圧縮機１３の運転時間だけでもよいが、運転時間だけなく、例えば凝縮水の量を加味して得てもよい。その積算運転時間Ｔａにより、後述する殺菌・脱臭運転における電気空気清浄通電時間Ｔを決定する。
【００２１】
この実施形態では、上記積算運転時間Ｔａが２００時間未満である場合、電気空気清浄通電時間Ｔを１５分に決定し（ステップＳＴ３，ＳＴ４）、積算運転時間Ｔａが２００時間以上で５００時間未満である場合、電気空気清浄通電時間Ｔを２０分に決定し（ステップＳＴ５，ＳＴ６）、積算運転時間Ｔａが５００時間以上である場合、電気空気清浄通電時間Ｔを２５分に決定する（ステップＳＴ５，ＳＴ８）。なお、上記電気空気清浄通電時間Ｔを決定するための条件（時間）は一例であり、空気調和機の使用環境などに応じて異なった値でもよい。
【００２２】
続いて、１分間待機した後（ステップＳＴ８）、湿度センサ８からの検出信号により室内湿度Ｒｈを検出し（ステップＳＴ９）、殺菌・脱臭運転（乾燥運転も有り）の処理を実行する（ステップＳＴ１０）。
【００２３】
図４および図５に示すように、殺菌・脱臭運転の処理では、クリーン運転信号の受信直前の運転が暖房もしくは送風である否かを状態判定部１ｃで判断し、その運転状態を記憶部１ｄに記憶する一方、その運転が暖房または送風であれば、ステップＳＴ２０からＳＴ２１に進み、タイマ部１ｂの２分タイマをスタートする。なお、クリーン運転信号の受信直前がエアコン停止中である場合には前回の運転によって記憶されている運転モードをもって判断する。
【００２４】
これにより、図１に示すステップＳＴ１において決定した暖房運転を行い、このときに圧縮機１３の回転数（運転周波数）を０コード（０ｒｐｓ）とし、室内ファン６のファン回転数を９００ｒｐｍとし、開閉パネル３ａ，３ｂを全開とし、ショートサーキットパネル３ｃを閉とし、上下風向板４を水平方向とし、本体表示部１０にクリーン表示を行う。
【００２５】
上記圧縮機１３を停止状態とした暖房運転を２分間維持することにより、室内機内部を乾燥させることができる。すなわち、前の運転が暖房または送風であるため、例えばドレンパン１１には凝縮水が溜っていることもないからである。なお、室内ファンが弱めの送風であることから、室内環境の悪化を招くこともない。
【００２６】
上記２分タイマがタイムアップすると、ステップＳＴ２２からＳＴ２３に進み、室内ファン６の運転を停止し、つまり現運転を停止する。続いて、開閉パネル３ａ，３ｂを全閉状態とし、ショートサーキットパネル３ｃを閉状態とし、上下風向板４を上向きとし（ステップＳＴ２４）、図１に示すルーチンで決定された電気空気清浄通電時間Ｔをタイマ部１ｂに設定してタイマをスタートし（ステップＳＴ２５）、電気集塵部７をオンし（ステップＳＴ２６）、その電気集塵部７によってオゾンを発生させ、しかもそのオゾンが室内に拡散しないようにする。
【００２７】
そして、室内ファン６を５秒間運転し（ステップＳＴ２７）、例えば回転数６００ｒｐｍによりオゾンを少なくとも室内機内部全体に行き渡らせる。その室内ファン６を５秒間運転した後、その運転を１分間停止し（ステップＳＴ２８）、オゾンを室内機内部に落ち付かせて殺菌、脱臭効果を上げる。続いて、タイマ部１ｂに設定した電気空気清浄通電時間Ｔのタイマがタイムアップしたか否かを判断する（ステップＳＴ２９）。
【００２８】
上記電気空気清浄通電時間Ｔが経過するまで、ステップＳＴ２７に戻り、室内ファン６を５秒間運転し、しかる後その室内ファン６の運転を１分間停止する処理を繰り返す。
【００２９】
このように、室内ファン６を間欠的に運転することにより、電気集塵部７によって発生したオゾンを室内機内部に効率よく行き渡らせて確実に殺菌、脱臭を行うことができ、しかも室内環境が悪化することもない。
【００３０】
そして、上記室内機内部の殺菌、脱臭運転を行った後は、当該クリーン運転信号直前にエアコン運転中であれば空気調和機をその運転（記憶部１ｄに記憶している運転）に戻し（図１におけるステップＳＴ１１）、ルーチンを終了する。
【００３１】
ところで、上記リモコン９によってクリーン運転信号の発信操作が行われたとき、当該空気調和機が暖房運転または送風運転以外の運転（例えば冷房やドライ、運転）である場合には、ステップＳＴ２０からＳＴ３０に進み、上記ステップＳＴ９において検出した室内湿度Ｒｈに応じて暖房０コード発信カウント値Ｋを決定する。
【００３２】
上記室内湿度Ｒｈが８０％以上と高いときには、ステップＳＴ３０からＳＴ３１に進み、暖房０コード発信カウント値Ｋを４に決定し、室内湿度Ｒｈが６０％以上、８０％より低いときには、ステップＳ３０，ＳＴ３２を介してステップＳＴ３３に進み、暖房０コード発信カウント値Ｋを３に決定し、室内湿度が６０％より低いときには、ステップＳＴ３０，ＳＴ３２を介してＳＴ３４に進み、暖房０コード発信カウント値Ｋを２に決定し、これらの決定カウント値Ｋをカウンタ部１ｅに設定する。
【００３３】
続いて、タイマ部１ｂの２分タイマをスタートし（ステップＳＴ３５）、すでに説明したように、上記ステップＳＴ１で決定した運転を行う。つまり、当該運転モードを暖房運転に切り替え、圧縮機１３の運転コード０（回転数０ｒｐｓ）を発信し、室内ファン６のファン回転数を９００ｒｐｍと弱めの送風とし、開閉パネル３ａ，３ｂを全開状態とし、ショートサーキットパネル３ｃを閉状態とし、上下風向板４を水平方向にするとともに、本体表示部１０にクリーン表示を行う。
【００３４】
この場合、室外機側では、その暖房運転を運転モード判定部２ａで判定して四方弁１２を切り替え、つまり冷凍サイクルを切り替えることになる。
【００３５】
上記２分タイマがタイムアップすると、ステップＳＴ３６からＳＴ３７（図５参照）に進み、カウンタ部１ｅの暖房０コード発信カウンタをインクリメントする。ここでは、最初の暖房０コード発信であることから、その暖房０コード発信カウンタは１となる。
【００３６】
続いて、暖房０コード発信カウンタの値が上記決定した値Ｋであるか否かを判断し（ステップＳＴ３８）、そのカウンタ値がＫでなければ、タイマ部１ｃの２分タイマをスタートする（ステップＳＴ３９）。
【００３７】
そして、運転モード暖房で圧縮機１３の運転コードを８（回転数３９ｒｐｓ）とし、室内ファン６のファン回転数を９００ｒｐｍとする（ステップＳＴ４０）。この場合、室外機側では、圧縮機制御部２ｂで圧縮機１３を回転数３９ｒｐｓに制御し、この圧縮機１３の運転に伴って室外ファン１４を回転制御することになる。
【００３８】
上記２分タイマがタイムアップしたか否かを判断し（ステップＳＴ４１）、そのタイムアップによりタイマ部１ｂの３分タイマをスタートし（ステップＳＴ４２）、運転モード暖房で圧縮機１３の運転コードを０（回転数０ｒｐｓ）とし、室内ファン６のファン回転数を９００ｒｐｍとする（ステップＳＴ４３）。
【００３９】
続いて、上記３分タイマがタイムアップしたか否かを判断し（ステップＳＴ４４）、そのタイムアップによりステップＳＴ３７に戻って上述した処理を繰り返す。したがって、当該空気調和機を暖房運転にするとともに、２分間圧縮機１３の回転数を３９ｒｐｓとし、しかる後３分間圧縮機１３の回転数を０ｒｐｓとする動作をＫ回繰り返すことになる。
【００４０】
このように、クリーン運転信号受信直前の室内湿度Ｒｈが高いほど、暖房０コード発信カウント値Ｋが大きく決定されることから、室内湿度Ｒｈが高くても乾燥運転時間が長くなり、室内機内部を十分に乾燥させることができる。なお、その暖房運転は弱め暖房と言えることから、室内環境を悪化させるに至らない。
【００４１】
続いて、上記暖房０コード発信カウンタ値が上記決定値Ｋになると、つまり上述した乾燥処理を終了すると、ステップＳＴ３８からステップＳＴ２３（図４参照）に戻り、上述したステップＳＴ２３ないしＳＴ２９の殺菌、脱臭処理を実行する。
【００４２】
この殺菌、脱臭処理が終わると、当該クリーン運転信号直前にエアコン運転中であれば空気調和機をその運転（記憶部１ｄに記憶している運転）に戻し（ステップＳＴ１１；図１参照）、ルーチンを終了する。
【００４３】
殺菌、脱臭処理については、すでに説明したことから、その説明を省略するが、ステップＳＴ２５においてスタートするタイマの電気空浄通電時間Ｔは上記ステップＳＴ４，ＳＴ６もしくはＳＴ７で決定した値である。
【００４４】
このように、クリーン運転発信前の運転状態が暖房または送風運転以外である場合、室内湿度が高くとも、室内機内部を十分に乾燥させた後、オゾンを室内機内部に行き渡らせて室内機内部の殺菌、脱臭を効果的に行え、しかも室内環境の悪化が抑えれ、室内湿度が低いときには、そのクリーン運転の時間が短くて済むことになる。
【００４５】
また、当該クリーン運転を行っているときには、その旨を本体表示部１０に表示して使用者などに報知していることから、使い勝手の向上が図れる。さらに、当該クリーン運転が終了したときには、当該空気調和機の運転を自動的に元の運転状態に戻すことから、使用者にとって再度リモコン９を操作する必要がなく、使い勝手の向上が図れる。
【００４６】
図６は、本発明の他の実施形態を示す概略的フローチャート図である。なお、図中、図１と同一処理については同一符号を付して重複説明を省略し、また、制御装置および室内機は図３および図２を参照されたい。
【００４７】
この実施形態では、電気空気清浄通電時間Ｔを室内の空気汚れ度（臭いレベル）に応じて決定し、その臭いレベルが高いほど、その電気空気清浄通電時間Ｔを長い値に決定する。
【００４８】
再び図３を参照して、本発明が適用される制御装置は、室内の空気汚れ度を検出するために、室内機の所定箇所に配置した臭いセンサ２０と、この臭いセンサ２０からの検出信号により室内の空気汚れ度（臭いレベル）を判断し、この臭いレベルに応じて電気空気清浄通電時間Ｔを決定して電気集塵部７を制御する制御回路２１とを備えている。なお、上記制御装置の構成としては、図３と同じであり、また制御回路２１は制御回路１と同様の機能を有している。
【００４９】
この実施形態の動作を図６のフローチャート図を参照して説明すると、まず、上記実施形態と同様に、上記リモコン９によってクリーン運転信号の発信操作が行われ、そのクリーン運転信号を受信すると、制御回路２１は図６を実行するとともに、殺菌、脱臭処理については図４および図５に示すルーチンで実行する。
【００５０】
このルーチンでは、実際の殺菌・脱臭運転に先立ち、運転転モード、圧縮機回転数、室内ファン、開閉パネル、ショートサーキットパネル、上下風向板およびクリーン表示などを決定し（ステップＳＴ１）、これら決定による制御を行う。
【００５１】
続いて、積算臭いレベル（積算空気質レベル）を算出するが（ステップＳＴ１００）、積算臭いレベルは前のクリーン運転終了後から当該クリーン運転信号の受信までの通常運転で臭いセンサ２０を用いて検出した臭いレベルをもって算出する。例えば、臭いレベルＬ１，Ｌ２，Ｌ３の何れかのレベルが何時間継続しているかをもって判断し、この積算臭いレベルＬにより前実施例と同じ殺菌、臭運転における電気空気清浄通電時間Ｔを決定する。
【００５２】
上記臭いレベルＬ２もしくは臭いレベルＬ３が２時間以下である場合には、電気空気清浄通電時間Ｔを１５分に決定する（ステップＳＴ１０１，ＳＴ１０２）。したがって、空気汚れ度が臭いレベルＬ１と低い場合にも、電気空気清浄通電時間Ｔを１５分に決定する。
【００５３】
上記空気汚れ度が臭いレベルＬ３と高く、その臭いレベルＬ３が２時間以下である場合には、電気空気清浄通電時間Ｔを２０分に決定する（ステップＳＴ１０３，ＳＴ１０４）。したがって、臭いレベルＬ１，Ｌ２が２時間より長い場合にも、電気空気清浄通電時間Ｔを２０分に決定する。
【００５４】
上記空気汚れ度が臭いレベルＬ３と高く、その臭いレベルＬ３が２時間より長い場合には、電気空気清浄通電時間Ｔを２５分に決定する（ステップＳＴ１０３，ＳＴ１０５）。すなわち、空気汚れ度が高いと言うことは、室内機内部には雑菌やカビによる臭いが室内に吹き出されていると判断できるからである。なお、上記電気空気清浄通電時間Ｔを決定するための条件（時間）は一例であり、空気調和機の使用環境などによってはよりきめ細かなものにしてもよい。
【００５５】
このようにして決定した電気空気清浄通電時間Ｔが図４および図５に示す殺菌、脱臭処理で用いられる。したがって、空気汚れ度および積算時間に応じて殺菌、脱臭処理の時間が決まることから、室内機の殺菌、脱臭処理を効率的に行われ、室内機内部に発生している雑菌やカビなどの除去、脱臭が確実に行われることになる。なお、図４および図５に示す殺菌、脱臭処理の具体的説明については上記実施形態で説明しており、重複することから省略する。
【００５６】
【発明の効果】
以上説明したように、本発明によれば、クリーン運転信号を受信したときには、前回のクリーン運転から今回のクリーン運転信号受信直前までの運転時間（積算運転時間）を算出するとともに、この算出積算運転時間に比例して上記電気集塵部の通電時間（オゾン発生時間）を決定し、その決定した通電時間をもってクリーン運転を行うようにしていることから、クリーン運転間の通常運転などが長いほど、そのオゾン発生時間を長くして殺菌、脱臭処理が行え、つまり空気調和機の使用状況にかかわらず室内機内部の殺菌、脱臭が効果的、効率的に行え、ひいては適切なクリーン運転が行え、室内環境の向上、快適性の向上を図ることができるという効果がある。
【００５７】
また、クリーン運転信号を受信したときには、前回のクリーン運転から今回のクリーン運転信号受信直前までの運転において検出した臭いレベルの積算時間を算出するとともに、この臭いレベルおよび積算時間に比例して上記電気集塵部の通電時間（オゾン発生時間）を決定し、殺菌、脱臭処理の実行に際してはその決定した通電時間を用いるようにし、クリーン運転を行うようにしていることから、上述した効果に加え、実際に臭いを検出して通電時間を変えているために正確な殺菌、脱臭処理を最適に行えるという効果がある。
【図面の簡単な説明】
【図１】本発明の実施形態の動作を説明するためのフローチャート図。
【図２】本発明が適用される室内機の構成を説明するための概略的構造図。
【図３】本発明が適用される制御装置を説明するための概略的ブロック線図。
【図４】本発明によるクリーン運転時の動作説明用の概略的フローチャート図。
【図５】本発明によるクリーン運転時の動作説明用の概略的フローチャート図。
【図６】本発明の他の実施形態の動作を説明するためのフローチャート図。
【符号の説明】
１，２１  制御回路
１ａ  判定部
１ｂ  状態判定部
１ｃ  タイマ部
１ｄ  記憶部
１ｅ  カウンタ部
１ｆ  湿度検出判定部
２  制御回路
２ａ  運転モード判定部
２ｂ  圧縮機制御部
３ａ，３ｂ  開閉パネル部
３ｃ  ショートサーキットパネル部
４ａ，４ｂ  上下風向板部
５ａ，５ｂ．５ｃ  室内熱交換器
６  室内ファン部
７  電気集塵部
８  湿度センサ
９  リモコン
１０  本体表示部
１１  ドレンパン
１２  四方弁
１３  圧縮機
１４  室外ファン部
２０  臭いセンサ
【図１】
0004182322.tif 000002
【図２】
0004182322.tif 000003
【図３】
0004182322.tif 000004
【図４】
0004182322.tif 000005
【図５】
0004182322.tif 000006
【図６】
0004182322.tif 000007